(57)【特許請求の範囲】
【請求項１】
携帯端末から活動情報を受信する第１受信器と、
前記第１受信器が受信した活動情報に基づいて、前記携帯端末を所持する人が第１時間帯に眠りに落ちたことを検出する検出手段と、
機器を制御する制御手段と、
タグから識別情報を受信する第２受信器と、
を備え、
前記携帯端末は、前記携帯端末を所持している人が活動することによって値が変わる情報を活動情報として送信し、
前記制御手段は、前記検出手段が検出した結果に基づいて、前記携帯端末を所持する人を特定の領域から退去させるための退去動作を前記第１時間帯の後に前記機器に行わせ、
前記第１時間帯は、前記第２受信器が前記タグから識別情報を受信した時刻から特定の時刻までである管理システム。
【請求項２】
前記制御手段は、前記携帯端末を所持する人が前記第１時間帯に眠りに落ちた回数が規定回数以上である場合に、前記第１時間帯の後に前記機器に退去動作を行わせ、
前記規定回数は、２以上の特定の数である請求項１に記載の管理システム。
【請求項３】
前記検出手段は、前記第１受信器が受信した活動情報に基づいて、前記携帯端末を所持する人が前記第１時間帯の後の第２時間帯に眠りに落ちたことを検出し、
前記制御手段は、前記携帯端末を所持する人が前記第２時間帯に１回でも眠りに落ちたことが前記検出手段によって検出された場合に、前記機器に退去動作を行わせる請求項１又は請求項２に記載の管理システム。
【請求項４】
前記携帯端末から活動情報を受信する第３受信器と、
前記第３受信器が受信した活動情報に基づいて、前記携帯端末を所持する人の前夜の睡眠時間を特定する特定手段と、
を更に備え、
前記制御手段は、前記特定手段によって特定された睡眠時間が規定時間より短い場合に、前記第１時間帯の後に前記機器に退去動作を行わせる請求項１から請求項３の何れか一項に記載の管理システム。
【請求項５】
前記第１受信器が受信した活動情報に基づいて、前記携帯端末を所持する人の前夜の睡眠時間を特定する特定手段を更に備え、
前記制御手段は、前記特定手段によって特定された睡眠時間が規定時間より短い場合に、前記第１時間帯の後に前記機器に退去動作を行わせる請求項１から請求項３の何れか一項に記載の管理システム。
【請求項６】
前記携帯端末は、心拍数と加速度とを含む情報を活動情報として送信する請求項１から請求項５の何れか一項に記載の管理システム。
【請求項７】
前記機器は照明装置であり、
前記制御手段は、退去動作として前記照明装置を消灯させる請求項１から請求項６の何れか一項に記載の管理システム。
【請求項８】
前記機器は電気錠であり、
前記制御手段は、退去動作として前記電気錠を解錠させない請求項１から請求項６の何れか一項に記載の管理システム。
【請求項９】
前記機器はパーソナルコンピュータであり、
前記制御手段は、退去動作として前記パーソナルコンピュータを強制終了させる請求項１から請求項６の何れか一項に記載の管理システム。
【発明の詳細な説明】
【技術分野】
【０００１】
この発明は、活動情報を利用した管理システムに関する。
【背景技術】
【０００２】
従来から、企業等の組織では、構成員の健康に関する様々な取り組みが行われている。例えば、ある企業では、従業員が特定の曜日に残業を行うことを禁止している。【０００３】
特許文献１は、機器を制御するためのシステムを開示する。なお、特許文献１は、構成員の健康に関する技術を開示するものではない。特許文献１に開示されたシステムでは、利用者が装着している装置によってこの利用者の生体情報が取得される。制御装置は、この装置が取得した生体情報に基づいて、利用者の家に備えられた機器を制御する。
【先行技術文献】
【特許文献】
【０００４】
【特許文献１】日本特開２０１６−５１４５号公報
【発明の概要】
【発明が解決しようとする課題】
【０００５】
従来では、例えば企業において、従業員に対して日中の挙動に応じて退社を促すような、組織的な管理を行うことができなかった。このような管理を行うことは、特許文献１に記載されたシステムでは実現することができない。【０００６】
この発明は、上述のような課題を解決するためになされた。この発明の目的は、企業等の組織において、構成員に対して、各自の挙動に応じた管理を行うことができる管理システムを提供することである。
【課題を解決するための手段】
【０００７】
この発明に係る管理システムは、携帯端末から活動情報を受信する第１受信器と、第１受信器が受信した活動情報に基づいて、携帯端末を所持する人が第１時間帯に眠りに落ちたことを検出する検出手段と、機器を制御する制御手段と、タグから識別情報を受信する第２受信器と、を備える。携帯端末は、携帯端末を所持している人が活動することによって値が変わる情報を活動情報として送信する。制御手段は、検出手段が検出した結果に基づいて、携帯端末を所持する人を特定の領域から退去させるための退去動作を第１時間帯の後に機器に行わせる。第１時間帯は、第２受信器がタグから識別情報を受信した時刻から特定の時刻までである。
【発明の効果】
【０００８】
この発明に係る管理システムは、第１受信器、検出手段、制御手段、及び第２受信器を備える。検出手段は、第１受信器が受信した活動情報に基づいて、携帯端末を所持する人が第１時間帯に眠りに落ちたことを検出する。制御手段は、検出手段が検出した結果に基づいて、携帯端末を所持する人を特定の領域から退去させるための退去動作を第１時間帯の後に機器に行わせる。第１時間帯は、第２受信器がタグから識別情報を受信した時刻から特定の時刻までである。この発明に係る管理システムであれば、企業等の組織において、構成員に対して、各自の挙動に応じた管理を行うことができる。
【図面の簡単な説明】
【０００９】
【図１】この発明の実施の形態１における管理システムの例を示す図である。
【図２】図１の管理システムをある企業の工場に適用した例を示す。
【図３】従業員が社員証をカードリーダにかざす様子を示す図である。
【図４】部屋の出入口を部屋の外側から見た図である。
【図５】部屋の内部を示す図である。
【図６】部屋の内部を示す図である。
【図７】入退室管理システムの動作例を示すフローチャートである。
【図８】ビル管理システムの動作例を示すフローチャートである。
【図９】残業規制処理の例を示すフローチャートである。
【図１０】入退室管理システムの他の動作例を示すフローチャートである。
【図１１】入退室管理システムの他の動作例を示すフローチャートである。
【図１２】ビル管理システムの他の動作例を示すフローチャートである。
【図１３】入退室管理システムの他の動作例を示すフローチャートである。
【図１４】ビル管理システムの他の動作例を示すフローチャートである。
【図１５】規制解除処理の例を示すフローチャートである。
【図１６】管理装置が備えるハードウェア要素の例を示す図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、この発明の実施の形態１における管理システム１の例を示す図である。管理システム１は、例えば携帯端末２、受信器３、管理装置４、及び機器５を備える。管理システム１は、タグ６及び受信器７を更に備えても良い。
【００１２】
受信器３は、携帯端末２から電波を受信する。受信器３が携帯端末２から電波を受信する範囲は予め設定される。受信器３は、例えば通信線によって管理装置４に接続される。
【００１３】
携帯端末２は、管理システム１が管理する人によって携帯される。管理システム１が管理する人は予め設定される。携帯端末２は、例えばリストバンド型の端末である。携帯端末２に、第１識別情報が記憶される。第１識別情報は、携帯端末２を特定するための情報である。即ち、各携帯端末２には固有の第１識別情報が割り当てられる。
【００１４】
携帯端末２は、活動情報を計測するための活動量計８を備える。活動情報は、携帯端末２を所持している人が活動することによって値が変わる情報である。例えば、活動量計８は、心拍数といった生体情報を計測する。心拍計は、活動量計８の一例である。活動量計８は、加速度といった携帯端末２の動きを表す情報を計測しても良い。加速度計は、活動量計８の一例である。携帯端末２は、第１識別情報と活動情報とを含む電波を送信する。携帯端末２は、例えば心拍数と加速度とを含む情報を活動情報として送信する。受信器３は、第１識別情報及び活動情報を含む電波を携帯端末２から受信する。受信器３は、携帯端末２から受信した第１識別情報と活動情報とを管理装置４に送信する。
【００１５】
管理装置４は、例えば記憶部９、検出部１０、及び制御部１２を備える。管理装置４は、特定部１１を更に備えても良い。
【００１６】
検出部１０は、受信器３が受信した活動情報に基づいて、携帯端末２を所持する人が第１時間帯に眠りに落ちたことを検出する。眠りに落ちたことを活動情報から検出する方法は、どのような方法であっても良い。第１時間帯は予め設定される。例えば、第１時間帯は、特定の時刻から特定の時刻までに設定される。第１時間帯を決定するための条件が予め設定されても良い。携帯端末２を所持する人の特定は、受信器３が受信した第１識別情報に基づいて行われる。
【００１７】
特定部１１は、受信器３が受信した活動情報に基づいて、携帯端末２を所持する人の前夜の睡眠時間を特定する。活動情報から睡眠時間を特定する方法は、どのような方法であっても良い。携帯端末２は、活動量計８によって計測された１日分の結果を記憶しておくことが可能なメモリを備えることが好ましい。
【００１８】
制御部１２は、機器５を制御する。制御部１２は、検出部１０が検出した結果に基づいて、第１時間帯の後に機器５に退去動作を行わせる。退去動作は、携帯端末２を所持する人を特定の領域から退去させるための動作である。例えば、制御部１２は、携帯端末２を所持する人が第１時間帯に眠りに落ちた回数が規定回数以上である場合に、第１時間帯の後に機器５に退去動作を行わせる。上記規定回数は予め設定される。規定回数は、２以上の特定の数であることが好ましい。例えば、規定回数は３回に設定される。
【００１９】
制御部１２は、特定部１１が特定した結果に基づいて、第１時間帯の後に機器５に退去動作を行わせても良い。例えば、制御部１２は、特定部１１によって特定された睡眠時間が規定時間より短い場合に、第１時間帯の後に機器５に退去動作を行わせる。上記規定時間は予め設定される。
【００２０】
受信器７は、タグ６から電波を受信する。受信器７がタグ６から電波を受信する範囲は予め設定される。受信器７は、例えば通信線によって管理装置４に接続される。
【００２１】
タグ６は、管理システム１が管理する人によって携帯される。タグ６は、例えばカードに内蔵される。タグ６は、携帯端末２に内蔵されても良い。タグ６に、第２識別情報が記憶される。第２識別情報は、タグ６を特定するための情報である。即ち、各タグ６には固有の第２識別情報が割り当てられる。受信器７は、第２識別情報を含む電波をタグ６から受信する。受信器７は、タグ６から受信した第２識別情報を管理装置４に送信する。
【００２２】
記憶部９に、管理システム１が管理する人の情報が記憶される。例えば、記憶部９に、携帯端末２に割り当てられた第１識別情報が記憶される。記憶部９に、各第１識別情報に紐付けて第２識別情報が記憶される。記憶部９に、各第１識別情報に紐付けて機器情報が記憶される。機器情報は、退去動作を行わせる機器５を特定するための情報である。表１は、記憶部９に記憶された情報の例を示す。
【００２３】
【表１】
0006711458.tif 000002
【００２４】
表１に示す例では、第１識別情報１００１が記憶された携帯端末２を所持する従業員は、第２識別情報２００１が記憶されたタグ６を所持する。一人の従業員に対して、同じ値の第１識別情報及び第２識別情報が割り当てられても良い。
【００２５】
以下に、図２から図１５も参照し、管理システム１のより具体的な例について説明する。図２は、図１の管理システム１をある企業の工場に適用した例を示す。図２に示す例では、管理システム１は工場に勤務する従業員を管理する。従業員の全員が携帯端末２を所持しても良い。従業員のうちの一部の人が携帯端末２を所持しても良い。従業員の全員がタグ６を所持しても良い。従業員のうちの一部の人がタグ６を所持しても良い。タグ６は、例えば社員証に内蔵される。以下においては、管理システム１が管理をする人のことを「管理対象者」ともいう。
【００２６】
図２は、管理システム１が複数のサブシステムを備える例を示す。管理システム１は、例えば、入退室管理システム１３、勤怠管理システム１４、照明制御システム１５、及びビル管理システム１６をサブシステムとして備える。ビル管理システム１６は、他のサブシステムを連携させるためのシステムである。図２に示す例では、図１に示す管理装置４の機能は、上記複数のサブシステムの一部或いは全部によって実現される。
【００２７】
図２は、管理システム１が複数の受信器３を備える例を示す。例えば、管理システム１は、携帯端末２から電波を受信する受信器として受信器３ａ〜３ｃを備える。受信器３ａは、工場の通用門に設けられる。また、工場の通用門には、カードリーダ７ａ及び７ｂが設けられる。カードリーダ７ａは受信器７の一例である。従業員は、出社する時に、タグ６が内蔵された社員証をカードリーダ７ａにかざす。図３は、従業員が社員証をカードリーダ７ａにかざす様子を示す図である。受信器３ａは、従業員が社員証をカードリーダ７ａにかざす際にその従業員の手首に巻かれた携帯端末２から電波を受信することができるように配置される。カードリーダ７ｂは受信器７の一例である。従業員は、退社する時に社員証をカードリーダ７ｂにかざす。
【００２８】
通用門に、セキュリティゲート１７が設置されても良い。セキュリティゲート１７は、例えば、カードリーダ７ａ、カードリーダ７ｂ、及び受信器３ａの各機能を有する。
【００２９】
入退室管理システム１３は、例えば主制御器１８と副制御器１９ａ及び１９ｂとを備える。入退室管理システム１３は、３台以上の副制御器を備えても良い。主制御器１８は、副制御器１９ａ及び１９ｂを制御する。例えば、副制御器１９ａ及び１９ｂの設定変更は、主制御器１８からの変更指令に基づいて行われる。入退室管理システム１３では、１台の副制御器に複数台のカードリーダが接続される。図２に示す例では、カードリーダ７ａ及び７ｂが副制御器１９ａに接続される。副制御器１９ａは、カードリーダ７ａ及び７ｂと通信する。
【００３０】
図２は、受信器３が入退室管理システム１３に接続される例を示す。例えば、受信器３ａは、副制御器１９ａに接続される。副制御器１９ａは、受信器３ａと通信する。
【００３１】
図２に示す例では、工場の敷地に建てられたビルＡに部屋Ｂが形成される。図４は、部屋Ｂの出入口を部屋Ｂの外側から見た図である。部屋Ｂの出入口にドア２０が設けられる。ドア２０は、電気錠２１によって施錠される。電気錠２１は、副制御器１９ｂに接続される。電気錠２１は、副制御器１９ｂによって制御される。
【００３２】
ドア２０に隣接する壁にカードリーダ７ｃ及び受信器３ｂが設けられる。カードリーダ７ｃは受信器７の一例である。従業員は、部屋Ｂに入る時に、タグ６が内蔵された社員証をカードリーダ７ｃにかざす。カードリーダ７ｃは、副制御器１９ｂに接続される。副制御器１９ｂは、カードリーダ７ｃと通信する。受信器３ｂは、従業員が社員証をカードリーダ７ｃにかざした際にその従業員の手首に巻かれた携帯端末２から電波を受信することができるように配置される。受信器３ｂは、副制御器１９ｂに接続される。副制御器１９ｂは、受信器３ｂと通信する。
【００３３】
図２は、部屋Ｂに、受信器３ｃ、パーソナルコンピュータ２２、及び照明器具２３が設けられる例を示す。以下においては、パーソナルコンピュータ２２をＰＣ２２とも表記する。図５及び図６は、部屋Ｂの内部を示す図である。図５に示すように、受信器３ｃは、ＰＣ２２が載せられた机の上に設けられる。受信器３ｃは、従業員がＰＣ２２のキーボード或いはマウスを操作した際にその従業員の手首に巻かれた携帯端末２から電波を受信することができるように配置される。図２は、勤怠管理システム１４がＰＣ２２を制御可能な例を示す。
【００３４】
図６に示すように、受信器３ｃは、部屋Ｂの天井に設けられても良い。受信器３ｃは、照明器具２３に隣接するように配置される。受信器３ｃは、従業員が自分の席に着いた際にその従業員の手首に巻かれた携帯端末２から電波を受信することができるように配置される。照明器具２３は、照明制御システム１５によって制御される。
【００３５】
図２は、管理システム１が複数の機器５を備える例を示す。電気錠２１は機器５の一例である。例えば、部屋Ｂに自分の席がある従業員に関しては、電気錠２１を特定するための情報が機器情報として記憶部９に記憶される。ＰＣ２２は機器５の一例である。例えば、ＰＣ２２を使用する従業員に関しては、ＰＣ２２を特定するための情報が機器情報として記憶部９に記憶される。照明器具２３は機器５の一例である。部屋Ｂに自分の席がある従業員に関しては、照明器具２３を特定するための情報が機器情報として記憶部９に記憶される。部屋Ｂに多くの照明器具２３が設けられている場合は、照明器具２３のうちその従業員の席の上にある器具を特定するための情報が機器情報として記憶部９に記憶される。
【００３６】
図７は、入退室管理システム１３の動作例を示すフローチャートである。図７は、従業員が出社した時に行われる動作例を示す。
【００３７】
入退室管理システム１３は、カードリーダ７ａが第２識別情報を受信したか否かを判定する（Ｓ１０１）。上述したように、工場に勤務する従業員は、出社する時に、タグ６が内蔵された社員証をカードリーダ７ａにかざす。これにより、カードリーダ７ａは、タグ６から第２識別情報を含む電波を受信する。カードリーダ７ａは、タグ６から受信した第２識別情報を入退室管理システム１３に送信する。
【００３８】
入退室管理システム１３には、工場に入ることができる人の情報が予め登録されている。以下においては、工場に入ることを許されている人のことを「入門許可者」ともいう。例えば、入退室管理システム１３に、入門許可者が所持するタグ６に割り当てられた第２識別情報が記憶される。以下においては、この第２識別情報のことを「入門許可者の第２識別情報」とも表記する。入退室管理システム１３は、カードリーダ７ａから第２識別情報を受信すると、カードリーダ７ａが受信した第２識別情報が入門許可者の第２識別情報の何れかと一致するか否かを判定する（Ｓ１０２）。
【００３９】
入退室管理システム１３は、Ｓ１０２で一致することを判定すると、出社情報をビル管理システム１６に送信する（Ｓ１０３）。出社情報は、例えば、カードリーダ７ａが受信した第２識別情報とカードリーダ７ａが第２識別情報を受信した時刻の情報とを含む。ビル管理システム１６は、例えば、入退室管理システム１３から出社情報を受信すると、受信した出社情報を勤怠管理システム１４に送信する。勤怠管理システム１４は、受信した出社情報に基づいて、当該従業員の出社時刻を記録する。
【００４０】
入退室管理システム１３は、Ｓ１０２で一致しないことを判定すると、通行が許可されていないことをカードリーダ７ａから報知させる（Ｓ１１３）。
【００４１】
入退室管理システム１３は、Ｓ１０２で一致することを判定すると、カードリーダ７ａに社員証をかざした人が、管理対象者であるか否かを判定する（Ｓ１０４）。例えば、入退室管理システム１３に、管理対象者が所持するタグ６に割り当てられた第２識別情報が記憶される。以下においては、この第２識別情報のことを「管理対象者の第２識別情報」とも表記する。入退室管理システム１３は、Ｓ１０４において、カードリーダ７ａが受信した第２識別情報が管理対象者の第２識別情報の何れかと一致するか否かを判定する。
【００４２】
例えば、この工場への訪問者は、タグ６が内蔵された訪問者カードを受付で受け取る。この訪問者が訪問者カードをカードリーダ７ａにかざすと、Ｓ１０４でＮｏと判定される。入退室管理システム１３は、Ｓ１０４で管理対象者ではないことを判定すると、通行が許可されたことをカードリーダ７ａから報知させる（Ｓ１０９）。
【００４３】
入退室管理システム１３は、Ｓ１０４で管理対象者であることを判定すると、受信器３ａが活動情報を受信したか否かを判定する（Ｓ１０５）。例えば、従業員が手首に携帯端末２をはめていれば、従業員が社員証をカードリーダ７ａにかざす際に受信器３ａが携帯端末２から第１識別情報と活動情報とを受信する。受信器３ａは、携帯端末２から受信した第１識別情報と活動情報とを入退室管理システム１３に送信する。入退室管理システム１３は、受信器３ａから第１識別情報と活動情報とを受信すると、その受信した情報をビル管理システム１６に送信する（Ｓ１０６）。
【００４４】
入退室管理システム１３は、Ｓ１０５で活動情報を受信していないことを判定すると、カードリーダ７ａがタグ６から第２識別情報を受信してから一定時間が経過したか否かを判定する（Ｓ１１０）。入退室管理システム１３は、Ｓ１０４で管理対象者であることを判定すると、タイマーをリセットしても良い。かかる場合、入退室管理システム１３は、タイマーをリセットしてから一定時間が経過したか否かをＳ１１０において判定する。例えば、入退室管理システム１３は、Ｓ１１０において３秒が経過したか否かを判定する。
【００４５】
入退室管理システム１３は、Ｓ１１０で一定時間が経過したことを判定すると、当該従業員が携帯端末２を携帯していないことをビル管理システム１６に通知する（Ｓ１１１）。また、入退室管理システム１３は、Ｓ１１０で一定時間が経過したことを判定すると、その日の残業が規制されることをカードリーダ７ａから報知させる（Ｓ１１２）。
【００４６】
入退室管理システム１３は、Ｓ１０６で活動情報をビル管理システム１６に送信すると、その応答としてビル管理システム１６から当該従業員に関する規制情報を受信したか否かを判定する（Ｓ１０７）。
【００４７】
図８は、ビル管理システム１６の動作例を示すフローチャートである。以下においては、ビル管理システム１６が記憶部９、検出部１０、及び特定部１１の各機能を備える例について説明する。制御部１２の機能は、各サブシステムにおいて実現される。図８は、従業員が出社した時に行われる動作例を示す。
【００４８】
ビル管理システム１６は、入退室管理システム１３から出社情報を受信したか否かを判定する（Ｓ２０１）。上述したように、ビル管理システム１６は、入退室管理システム１３から出社情報を受信すると、受信した出社情報を勤怠管理システム１４に送信する（Ｓ２０２）。
【００４９】
ビル管理システム１６は、入退室管理システム１３から出社情報を受信すると、当該従業員が管理対象者であるか否かを判定する（Ｓ２０３）。例えば、ビル管理システム１６に、表１に示す情報が記憶される。ビル管理システム１６は、出社情報に含まれる第２識別情報が管理対象者の第２識別情報の何れかと一致するか否かを判定する。ビル管理システム１６は、Ｓ２０３で管理対象者ではないことを判定すると、処理を終了する。
【００５０】
ビル管理システム１６は、Ｓ２０３で管理対象者であることを判定すると、入退室管理システム１３から活動情報を受信したか否かを判定する（Ｓ２０４）。Ｓ１０６で第１識別情報と活動情報とが送信されていれば、Ｓ２０４でＹｅｓと判定される。ビル管理システム１６は、入退室管理システム１３から第１識別情報と活動情報とを受信すると、受信した活動情報に基づいて当該従業員の前夜の睡眠時間を特定する（Ｓ２０５）。
【００５１】
ビル管理システム１６は、Ｓ２０５で特定した睡眠時間が規定時間より短いか否かを判定する（Ｓ２０６）。ビル管理システム１６は、Ｓ２０５で特定した睡眠時間が規定時間以上であれば、当該従業員について残業規制がないことを通知する（Ｓ２０７）。例えば、ビル管理システム１６は、Ｓ２０７において、当該従業員について残業規制がないことを示す規制情報を入退室管理システム１３に送信する。ビル管理システム１６は、Ｓ２０５で特定した睡眠時間が規定時間より短ければ、当該従業員に対する残業規制処理を行う（Ｓ２０９）。
【００５２】
ビル管理システム１６は、Ｓ２０４で活動情報を受信していないことを判定すると、カードリーダ７ａがタグ６から第２識別情報を受信してから一定時間が経過したか否かを判定する（Ｓ２０８）。ビル管理システム１６は、Ｓ２０３で管理対象者であることを判定すると、タイマーをリセットしても良い。かかる場合、ビル管理システム１６は、タイマーをリセットしてから一定時間が経過したか否かをＳ２０８において判定する。例えば、ビル管理システム１６は、Ｓ２０８において３秒が経過したか否かを判定する。
【００５３】
ビル管理システム１６は、Ｓ２０８で一定時間が経過したことを判定すると、当該従業員に対する残業規制処理を行う（Ｓ２０９）。
【００５４】
図９は、残業規制処理の例を示すフローチャートである。残業規制処理では、先ず、当該従業員に対して残業規制があることが通知される（Ｓ３０１）。例えば、ビル管理システム１６は、当該従業員について残業規制があることを示す規制情報を入退室管理システム１３に送信する。また、残業規制処理では、規定の就業時間が経過した後に機器５による退去動作が行われる。退去動作については後述する。
【００５５】
上述したように、入退室管理システム１３は、Ｓ１０７において規制情報を受信したか否かを判定する。Ｓ２０７で送信された規制情報は、入退室管理システム１３に受信される。Ｓ３０１で送信された規制情報は、入退室管理システム１３に受信される。入退室管理システム１３は、ビル管理システム１６から規制情報を受信すると、受信した規制情報に基づいて当該従業員について残業規制があるか否かを判定する（Ｓ１０８）。
【００５６】
入退室管理システム１３は、Ｓ２０７で送信された規制情報を受信した場合、Ｓ１０８で残業規制がないことを判定する。かかる場合、入退室管理システム１３は、通行が許可されたことをカードリーダ７ａから報知させる（Ｓ１０９）。入退室管理システム１３は、Ｓ３０１で送信された規制情報を受信した場合、Ｓ１０８で残業規制があることを判定する。かかる場合、入退室管理システム１３は、その日の残業が規制されることをカードリーダ７ａから報知させる（Ｓ１１２）。
【００５７】
次に、従業員が出社した後に行われる動作例について説明する。図１０及び図１１は、入退室管理システム１３の他の動作例を示すフローチャートである。図１０及び図１１は、一連の動作を示す。図１０及び図１１は、従業員が部屋Ｂに入る時に行われる動作例を示す。
【００５８】
入退室管理システム１３は、カードリーダ７ｃが第２識別情報を受信したか否かを判定する（Ｓ４０１）。上述したように、従業員は、部屋Ｂに入る時に、タグ６が内蔵された社員証をカードリーダ７ｃにかざす。これにより、カードリーダ７ｃは、タグ６から第２識別情報を含む電波を受信する。カードリーダ７ｃは、タグ６から受信した第２識別情報を入退室管理システム１３に送信する。
【００５９】
入退室管理システム１３には、各部屋に入ることができる人の情報が予め登録されている。以下においては、部屋Ｂに入ることを許されている人のことを「入室許可者」ともいう。例えば、入退室管理システム１３に、入室許可者が所持するタグ６に割り当てられた第２識別情報が記憶される。以下においては、この第２識別情報のことを「入室許可者の第２識別情報」とも表記する。入退室管理システム１３は、カードリーダ７ｃから第２識別情報を受信すると、カードリーダ７ｃが受信した第２識別情報が入室許可者の第２識別情報の何れかと一致するか否かを判定する（Ｓ４０２）。
【００６０】
入退室管理システム１３は、Ｓ４０２で一致することを判定すると、入室情報をビル管理システム１６に送信する（Ｓ４０３）。入室情報は、例えば、カードリーダ７ｃが受信した第２識別情報とカードリーダ７ｃが第２識別情報を受信した時刻の情報とを含む。ビル管理システム１６は、例えば、入退室管理システム１３から入室情報を受信すると、受信した入室情報を勤怠管理システム１４に送信する。勤怠管理システム１４は、受信した入室情報に基づいて、当該従業員の入室時刻を記録する。
【００６１】
入退室管理システム１３は、Ｓ４０２で一致しないことを判定すると、入室が許可されていないことをカードリーダ７ｃから報知させる（Ｓ４１３）。
【００６２】
入退室管理システム１３は、Ｓ４０２で一致することを判定すると、カードリーダ７ｃに社員証をかざした人が、管理対象者であるか否かを判定する（Ｓ４０４）。例えば、入退室管理システム１３は、Ｓ４０４において、カードリーダ７ｃが受信した第２識別情報が管理対象者の第２識別情報の何れかと一致するか否かを判定する。
【００６３】
例えば、この工場への出張者が自分の社員証をカードリーダ７ｃにかざすと、Ｓ４０４でＮｏと判定される。入退室管理システム１３は、Ｓ４０４で管理対象者ではないことを判定すると、通行が許可されたことをカードリーダ７ｃから報知させる（Ｓ４０９）。
【００６４】
入退室管理システム１３は、Ｓ４０４で管理対象者であることを判定すると、受信器３ｂが活動情報を受信したか否かを判定する（Ｓ４０５）。例えば、従業員が手首に携帯端末２をはめていれば、従業員が社員証をカードリーダ７ｃにかざす際に受信器３ｂが携帯端末２から第１識別情報と活動情報とを受信する。受信器３ｂは、携帯端末２から受信した第１識別情報と活動情報とを入退室管理システム１３に送信する。入退室管理システム１３は、受信器３ｂから第１識別情報と活動情報とを受信すると、その受信した情報をビル管理システム１６に送信する（Ｓ４０６）。
【００６５】
入退室管理システム１３は、Ｓ４０５で活動情報を受信していないことを判定すると、カードリーダ７ｃがタグ６から第２識別情報を受信してから一定時間が経過したか否かを判定する（Ｓ４１０）。入退室管理システム１３は、Ｓ４０４で管理対象者であることを判定すると、タイマーをリセットしても良い。かかる場合、入退室管理システム１３は、タイマーをリセットしてから一定時間が経過したか否かをＳ４１０において判定する。例えば、入退室管理システム１３は、Ｓ４１０において３秒が経過したか否かを判定する。
【００６６】
入退室管理システム１３は、Ｓ４１０で一定時間が経過したことを判定すると、当該従業員が携帯端末２を携帯していないことをビル管理システム１６に通知する（Ｓ４１１）。また、入退室管理システム１３は、Ｓ４１０で一定時間が経過したことを判定すると、その日の残業が規制されることをカードリーダ７ｃから報知させる（Ｓ４１２）。
【００６７】
入退室管理システム１３は、Ｓ４０６で活動情報をビル管理システム１６に送信すると、その応答としてビル管理システム１６から当該従業員に関する規制情報を受信したか否かを判定する（Ｓ４０７）。
【００６８】
図１２は、ビル管理システム１６の他の動作例を示すフローチャートである。図１２は、従業員が部屋Ｂに入る時に行われる動作例を示す。
【００６９】
ビル管理システム１６は、入退室管理システム１３から入室情報を受信したか否かを判定する（Ｓ５０１）。上述したように、ビル管理システム１６は、入退室管理システム１３から入室情報を受信すると、受信した入室情報を勤怠管理システム１４に送信する（Ｓ５０２）。
【００７０】
ビル管理システム１６は、入退室管理システム１３から入室情報を受信すると、当該従業員が管理対象者であるか否かを判定する（Ｓ５０３）。ビル管理システム１６は、Ｓ５０３で管理対象者ではないことを判定すると、処理を終了する。
【００７１】
ビル管理システム１６は、Ｓ５０３で管理対象者であることを判定すると、入退室管理システム１３から活動情報を受信したか否かを判定する（Ｓ５０４）。Ｓ４０６で第１識別情報と活動情報とが送信されていれば、Ｓ５０４でＹｅｓと判定される。ビル管理システム１６は、入退室管理システム１３から第１識別情報と活動情報とを受信すると、受信した活動情報に基づいて当該従業員が第１時間帯及びその後に眠りに落ちたか否かを判定する（Ｓ５０５）。
【００７２】
第１時間帯は、例えば当該従業員の規定の就業時間に設定される。当該従業員の規定の就業時間が例えば９時から１７時であれば、第１時間帯は９時から１７時までに設定される。第１時間帯は、当該従業員がその日に出社した時刻から特定の時刻までに設定されても良い。例えば、第１時間帯は、カードリーダ７ａが第２識別情報を受信した時刻から１７時までに設定される。
【００７３】
ビル管理システム１６は、Ｓ５０５で眠りに落ちていないことを判定すると、当該従業員について残業規制がないことを通知する（Ｓ５０８）。例えば、ビル管理システム１６は、Ｓ５０８において、当該従業員について残業規制がないことを示す規制情報を入退室管理システム１３に送信する。
【００７４】
ビル管理システム１６は、Ｓ５０５で眠りに落ちたことを判定すると、当該従業員が眠ったのが第１時間帯の後であるか否かを判定する。例えば、ビル管理システム１６は、当該従業員が規定の就業時間の後に眠りに落ちたことがあるか否かを判定する（Ｓ５０６）。ビル管理システム１６は、第１時間帯の後に眠りに落ちたことをＳ５０６で判定すると、当該従業員に対する残業規制処理を行う（Ｓ５１０）。
【００７５】
ビル管理システム１６は、第１時間帯の後に眠りに落ちていないことをＳ５０６で判定すると、当該従業員が第１時間帯に眠りに落ちた回数が規定回数以上であるか否かを判定する（Ｓ５０７）。ビル管理システム１６は、眠りに落ちた回数が規定回数未満であることをＳ５０７で判定すると、当該従業員について残業規制がないことを通知する（Ｓ５０８）。ビル管理システム１６は、眠りに落ちた回数が規定回数以上であることをＳ５０７で判定すると、当該従業員に対する残業規制処理を行う（Ｓ５１０）。
【００７６】
ビル管理システム１６は、Ｓ５０４で活動情報を受信していないことを判定すると、入退室管理システム１３から不携帯の通知を受けたか否かを判定する（Ｓ５０９）。携帯端末２を携帯していないことがＳ４１１で通知されていれば、Ｓ５０９でＹｅｓと判定される。ビル管理システム１６は、入退室管理システム１３から不携帯の通知を受けると、当該従業員に対する残業規制処理を行う（Ｓ５１０）。なお、携帯端末２を携帯していないことがＳ１１１で通知されている場合も、Ｓ５０９でＹｅｓと判定された時に行われる処理と同様の処理が行われる。
【００７７】
残業規制処理では、当該従業員について残業規制があることが通知される（Ｓ３０１）。また、残業規制処理では、規定の就業時間が経過した後に機器５による退去動作が行われる。
【００７８】
上述したように、入退室管理システム１３は、Ｓ４０７において規制情報を受信したか否かを判定する。Ｓ５０８で送信された規制情報は、入退室管理システム１３に受信される。Ｓ３０１で送信された規制情報は、入退室管理システム１３に受信される。入退室管理システム１３は、ビル管理システム１６から規制情報を受信すると、受信した規制情報に基づいて当該従業員について残業規制があるか否かを判定する（Ｓ４０８）。
【００７９】
入退室管理システム１３は、Ｓ５０８で送信された規制情報を受信した場合、Ｓ４０８で残業規制がないことを判定する。かかる場合、入退室管理システム１３は、通行が許可されたことをカードリーダ７ｃから報知させる（Ｓ４０９）。Ｓ４０９で報知が行われると、入退室管理システム１３は、電気錠２１を解錠する（Ｓ４１４）。これにより、従業員は、ドア２０を開けて部屋Ｂに入ることができる。
【００８０】
入退室管理システム１３は、Ｓ３０１で送信された規制情報を受信した場合、Ｓ４０８で残業規制があることを判定する。かかる場合、入退室管理システム１３は、その日の残業が規制されることをカードリーダ７ｃから報知させる（Ｓ４１２）。Ｓ４１２で報知が行われると、入退室管理システム１３は、現在が規定の就業時間内であるか否かを判定する（Ｓ４１５）。入退室管理システム１３は、就業時間内であることをＳ４１５で判定すると、電気錠２１を解錠する（Ｓ４１４）。入退室管理システム１３は、就業時間内でないことをＳ４１５で判定すると、電気錠２１を解錠することなく処理を終了する。
【００８１】
上述したように、退去動作は、携帯端末２を所持する人を特定の領域から退去させるために行われる。本実施の形態に示す例では、上記特定の領域は部屋Ｂである。上記特定の領域はビルＡ或いは工場の敷地であるとみなしても良い。図１１のＳ４１５に続く処理は、退去動作の一例である。即ち、入退室管理システム１３は、管理対象者が部屋Ｂに入ろうとしている場合に、現在が規定の就業時間内であればＳ４１４において電気錠２１を解錠する。しかし、残業規制がある管理対象者に対しては、入退室管理システム１３は、就業時間後に電気錠２１を解錠させない。例えば、入退室管理システム１３は、就業時間の終了時刻から一定時間が経過すると、当該従業員に対して電気錠２１を解錠しないように制御する。
【００８２】
図９のＳ３０２に示す処理は、退去動作の一例である。勤怠管理システム１４は、残業規制がある管理対象者のＰＣ２２を就業時間後に強制終了させても良い。例えば、勤怠管理システム１４は、就業時間の終了時刻から一定時間が経過すると、ＰＣ２２を強制終了させる。勤怠管理システム１４は、ＰＣ２２を強制終了させた後、当該従業員の残業規制が解除されなければ、強制終了させたＰＣ２２を起動させないように制御する。
【００８３】
図９のＳ３０３に示す処理は、退去動作の一例である。照明制御システム１５は、照明器具２３を消灯させても良い。例えば、照明制御システム１５は、就業時間の終了時刻から一定時間が経過すると、照明器具２３を消灯させる。照明制御システム１５は、照明器具２３を消灯させた後、当該従業員の残業規制が解除されなければ、消灯させた照明器具２３を点灯させないように制御する。
【００８４】
図１３は、入退室管理システム１３の他の動作例を示すフローチャートである。図１３は、従業員が退社する時に行われる動作例を示す。
【００８５】
入退室管理システム１３は、カードリーダ７ｂが第２識別情報を受信したか否かを判定する（Ｓ６０１）。上述したように、工場に勤務する従業員は、退社する時に、タグ６が内蔵された社員証をカードリーダ７ｂにかざす。これにより、カードリーダ７ｂは、タグ６から第２識別情報を含む電波を受信する。カードリーダ７ｂは、タグ６から受信した第２識別情報を入退室管理システム１３に送信する。
【００８６】
入退室管理システム１３は、カードリーダ７ｂから第２識別情報を受信すると、カードリーダ７ｂが受信した第２識別情報が入門許可者の第２識別情報の何れかと一致するか否かを判定する（Ｓ６０２）。入退室管理システム１３は、Ｓ６０２で一致することを判定すると、退社情報をビル管理システム１６に送信する（Ｓ６０３）。退社情報は、例えば、カードリーダ７ｂが受信した第２識別情報とカードリーダ７ｂが第２識別情報を受信した時刻の情報とを含む。ビル管理システム１６は、例えば、入退室管理システム１３から退社情報を受信すると、受信した退社情報を勤怠管理システム１４に送信する。勤怠管理システム１４は、受信した退社情報に基づいて、当該従業員の退社時刻を記録する。
【００８７】
入退室管理システム１３は、Ｓ６０２で一致することを判定すると、通行が許可されたことをカードリーダ７ｂから報知させる（Ｓ６０４）。入退室管理システム１３は、Ｓ６０２で一致しないことを判定すると、通行が許可されていないことをカードリーダ７ｂから報知させる（Ｓ６０５）。
【００８８】
図１４は、ビル管理システム１６の他の動作例を示すフローチャートである。図１４は、従業員が退社する時に行われる動作例を示す。
【００８９】
ビル管理システム１６は、入退室管理システム１３から退社情報を受信したか否かを判定する（Ｓ７０１）。上述したように、ビル管理システム１６は、入退室管理システム１３から退社情報を受信すると、受信した退社情報を勤怠管理システム１４に送信する。また、入退室管理システム１３から退社情報が送信されることにより、規制解除処理が行われる（Ｓ７０２）。
【００９０】
図１５は、規制解除処理の例を示すフローチャートである。規制解除処理では、先ず、当該従業員について、残業規制が「なし」に設定される（Ｓ８０１）。これにより、残業規制があった従業員に関しては、社員証をカードリーダ７ｂにかざすことによってその規制が解除される。また、カードリーダ７ｂが第２識別情報を受信してから一定時間が経過すると、当該従業員に対して行われていた退去動作が終了される（Ｓ８０２）。
【００９１】
本実施の形態に示す例であれば、企業等の組織において、構成員のそれぞれに対して、挙動に応じた管理を行うことができる。例えば、従業員が第１時間帯に複数回眠りに落ちると、退社を促すための動作が行われる。従業員に対して生活リズムの改善を促すことができ、それぞれの体調に合わせた組織的な健康管理が可能となる。
【００９２】
本実施の形態に示す例では、図１２のＳ５０６に示すように、検出部１０は、従業員が第１時間帯の後の第２時間帯に眠りに落ちたことを検出する。第２時間帯は、例えば、規定の就業時間の終了時刻からカードリーダ７ｂが第２識別情報を受信した時刻までに設定される。制御部１２は、従業員が第２時間帯に１回でも眠りに落ちたことが検出部１０によって検出されると、機器５に退去動作を行わせる。これにより、従業員に早期の退社を促すことができる。
【００９３】
本実施の形態に示す例では、制御部１２は、前日の睡眠時間が規定時間より短いと、第１時間帯の後に機器５に退去動作を行わせる。従業員に早期の退社を促すことができ、睡眠時間が短い状態が続くことを防止できる。
【００９４】
本実施の形態では、受信器３ｂが受信した活動情報に基づいて、眠りに落ちたことを検出部１０が検出する例について説明した。検出部１０は、受信器３ａ或いは３ｃが受信した活動情報に基づいて、従業員が眠りに落ちたことを検出しても良い。本実施の形態では、受信器３ａが受信した活動情報に基づいて、特定部１１が前日の睡眠時間を特定する例について説明した。特定部１１は、受信器３ｂ或いは３ｃが受信した活動情報に基づいて、前日の睡眠時間を特定しても良い。
【００９５】
本実施の形態では、ビル管理システム１６が記憶部９、検出部１０、及び特定部１１の各機能を備える例について説明した。これは一例である。例えば、入退室管理システムが記憶部９、検出部１０、及び特定部１１の各機能を備えても良い。
【００９６】
符号９〜１２に示す各部は、管理装置４が有する機能を示す。図１６は、管理装置４が備えるハードウェア要素の例を示す図である。管理装置４は、ハードウェア資源として、例えばプロセッサ２４とメモリ２５とを含む処理回路２６を備える。記憶部９が有する機能はメモリ２５によって実現される。管理装置４は、メモリ２５に記憶されたプログラムをプロセッサ２４によって実行することにより、符号１０〜１２に示す各部の機能を実現する。
【００９７】
プロセッサ２４は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ２５として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【００９８】
管理装置４が有する各機能の一部又は全部を専用ハードウェアによって実現しても良い。管理装置４が有する機能を実現する専用ハードウェアとして、単一回路、複合回路、プログラム化したプロセッサ、並列プログラム化したプロセッサ、ＡＳＩＣ、ＦＰＧＡ、又はこれらの組み合わせを処理回路２６に備えても良い。
【産業上の利用可能性】
【００９９】
この発明は、活動情報を利用したシステムに適用できる。
【符号の説明】
【０１００】
１  管理システム
２  携帯端末
３  受信器
４  管理装置
５  機器
６  タグ
７  受信器
８  活動量計
９  記憶部
１０  検出部
１１  特定部
１２  制御部
１３  入退室管理システム
１４  勤怠管理システム
１５  照明制御システム
１６  ビル管理システム
１７  セキュリティゲート
１８  主制御器
１９ａ  副制御器
１９ｂ  副制御器
２０  ドア
２１  電気錠
２２  パーソナルコンピュータ
２３  照明器具
２４  プロセッサ
２５  メモリ
２６  処理回路
【図１】
0006711458.tif 000003
【図２】
0006711458.tif 000004
【図３】
0006711458.tif 000005
【図４】
0006711458.tif 000006
【図５】
0006711458.tif 000007
【図６】
0006711458.tif 000008
【図７】
0006711458.tif 000009
【図８】
0006711458.tif 000010
【図９】
0006711458.tif 000011
【図１０】
0006711458.tif 000012
【図１１】
0006711458.tif 000013
【図１２】
0006711458.tif 000014
【図１３】
0006711458.tif 000015
【図１４】
0006711458.tif 000016
【図１５】
0006711458.tif 000017
【図１６】
0006711458.tif 000018